(57)【要約】【課題】ディスプレイの操作が容易な電子機器を提供することである。【解決方法】電子機器は：ヒンジアセンブリ１３０と、ヒンジアセンブリと旋回可能に結合されたディスプレイ支持部材１４０と、第１の水平回転軸でディスプレイ支持部材と旋回可能に結合され第２の水平回転軸でヒンジアセンブリと旋回可能に結合されているディスプレイハウジング１１０と、を備え、ディスプレイハウジングが、フラットパネルディスプレイ１１１と、第１固定具２１０と、ディスプレイ支持部材と係合するよう第１固定具に接続されている第２固定具２２０とを備え、第２固定具が第１固定具上で実施された事象に応じディスプレイ支持部材から係合解除されるインターロック機構２００と、を備える。【選択図】      図６
2005085260.tif 000002
【特許請求の範囲】
【請求項１】
ヒンジアセンブリと、
前記ヒンジアセンブリと旋回可能に結合されているディスプレイ支持部材と、
第１の水平回転軸にて前記ディスプレイ支持部材と旋回可能に結合されており、第２の水平回転軸にてヒンジアセンブリと旋回可能に結合されているディスプレイハウジングと、を備えており、
前記ディスプレイハウジングが、
フラットパネルディスプレイと、
第１固定具と、前記ディスプレイ支持部材と係合するよう前記第１固定具に接続されている第２固定具とを備えており、前記第２固定具が前記第１固定具上で実施された事象に応じて前記ディスプレイ支持部材から係合解除されるインターロック機構と、
を備えることを特徴とする電子機器。
【請求項２】
前記インターロック機構の前記第１固定具は前記ディスプレイハウジングの頂部に位置付けされており、前記インターロック機構の前記第２固定具は該ディスプレイハウジングの底部に位置付けされている、ことを特徴とする請求項１に記載の電子機器。
【請求項３】
前記ディスプレイ支持部材は、前記ディスプレイハウジングのバックディスプレイパネルの縦のほぼ中心部にて前記ディスプレイハウジングと旋回可能に結合されている、ことを特徴とする請求項１に記載の電子機器。
【請求項４】
前記ディスプレイハウジングの前記インターロック機構の前記第１固定具と第２固定具はレバーによって接続されている、ことを特徴とする請求項１に記載の電子機器。
【請求項５】
前記ディスプレイハウジングの前記インターロック機構の前記第１固定具は前記レバーと旋回可能に結合されえおり、前記ディスプレイハウジングの前記インターロック機構の前記第２固定具は、前記レバーと固定結合されている、ことを特徴とする請求項４に記載の電子機器。
【請求項６】
前記第２固定具が前記ディスプレイ支持部材のスロットから係合解除されたとき、前記ディスプレイハウジングの前記インターロック機構の前記第２固定具は前記ディスプレイ支持部材から係合解除される、ことを特徴とする請求項５に記載の電子機器。
【請求項７】
前記ディスプレイハウジングの前記インターロック機構の前記第１固定具の押し下げは前記レバーおよび第２固定具の横方向への移動を生じさせ、これにより、一旦前記ディスプレイハウジングが該ディスプレイ支持部材から独立して垂直に旋回されると前記第２固定具に前記ディスプレイ支持部材から係合解除させる、ことを特徴とする請求項４に記載の電子機器。
【請求項８】
前記ディスプレイハウジングの前記インターロック機構の前記第１固定具の旋回は前記レバーと第２固定具の両方の横方向を生じさせ、これにより、前記ディスプレイ支持部材から該第２固定具を係合解除させる、ことを特徴とする請求項４に記載の電子機器。
【発明の詳細な説明】
【技術分野】
【０００１】
本発明は、電子機器に関係している。
【背景技術】
【０００２】
過去１０年の間に、特にデータ処理機能を拡大したラップトップコンピュータへの要求が増加している。外部電源またはポータブル電源のいずれかから動作する従来のラップトップコンピュータは、本体ケースと旋回可能に接続しているディスプレイハウジングを特徴とする。一般に、ディスプレイハウジングは液晶ディスプレイ（ＬＣＤ）を特長としており、一方、本体ケースはキーボード及び、例えばローラボールやタッチパッドなどの２次入力装置を特徴としている。
【０００３】
キーボードにアクセスしＬＣＤを見るには、使用者は本体ケースを表面上（例えば使用者の膝または静止表面上）に載置した後に、ディスプレイハウジングを本体ケースから上方角度方向へ旋回してラップトップコンピュータを開く。これにより、使用者は、キーボードおよび２次入力装置にアクセスすることが可能となり、同様に、表示された内容をＬＣＤから読むことが可能となる。使用後にラップトップコンピュータを閉じ持ち運ぶためには、使用者は、ディスプレイハウジングを本体ケース側へと旋回させ、ディスプレイハウジングを固定する。このような旋回は、本体ケースの後面に取り付けられているヒンジによって達成される。
【０００４】
携帯情報端末およびタブレット型コンピュータの増加する人気のために、ラップトップコンピュータは、現在では、タブレット型コンピュータとしても動作し、スタイラスが入力装置として動作するように構成されている。これは、ディスプレイハウジングを逆転させる、すなわち、ＬＣＤを上方に向くように配置し本体ケース上に載置させる、ことを要求する。
【０００５】
米国特許第５，２６８，８１７号は、ディスプレイハウジングの正反対の２個の側縁から突出するように配置されている２次ヒンジを使用して、ディスプレイハウジングを逆転させる１つの機構を図示している。この発明は、ラップトップコンピュータをタブレット型コンピュータに変化させる。
【特許文献１】米国特許第５，２６８，８１７号
【発明の開示】
【発明が解決しようとする課題】
【０００６】
しかし、この従来型のディスプレイハウジングには多くの欠点がある。
【０００７】
例えば、１つの欠点は、この従来型ディスプレイハウジングが、ＬＣＤの回転を防止するために２個の独立型のロック機構、すなわち１対のロックピンを採用し、また、ディスプレイハウジングを本体筐体に取り付けるためのロックを採用していることである。これにより、使用者はコンピュータの複数の領域にアクセスしなければならず、ロック/ロック解除手順が複雑になってしまう。さらに、独立型のロック機構によって、総製造コストと、潜在的な構造欠陥の可能性が増加する。
【０００８】
この発明の目的は、ディスプレイの操作が容易な電子機器を提供することである。
【課題を解決するための手段】
【０００９】
請求項１に係る電子機器は：ヒンジアセンブリと；前記ヒンジアセンブリと旋回可能に結合されているディスプレイ支持部材と；第１の水平回転軸にて前記ディスプレイ支持部材と旋回可能に結合されており、第２の水平回転軸にてヒンジアセンブリと旋回可能に結合されているディスプレイハウジングと；を備えており、前記ディスプレイハウジングが：フラットパネルディスプレイと；第１固定具と、前記ディスプレイ支持部材と係合するよう前記第１固定具に接続されている第２固定具とを備えており、前記第２固定具が前記第１固定具上で実施された事象に応じて前記ディスプレイ支持部材から係合解除されるインターロック機構と；を備えることを特徴としている。
【発明の効果】
【００１０】
この発明の電子機器によれば、ディスプレイの操作が容易な電子機器を提供することが出来る。
【発明を実施するための最良の形態】
【００１１】
これ以降の詳細な記述で説明する本発明の実施の形態は、概して、２ヶ所固定機能を提供するフラットパネルディスプレイ用のインターロック機構に関する。ここでは、本発明の少なくとも１つの実施の形態が、第１固定具と第２固定具を備えるインターロック機構に関連している。第１固定具は、ディスプレイハウジングを電子機器の本体ケースに取り付けるように設けられている。第２固定具は、ディスプレイハウジングの底部を、電子機器のディスプレイ支持部材に対して取り付けまたは取り外しできるようにすることを可能にする。
【００１２】
以降の記述では、本発明の１つまたは複数の実施の形態の特定の特徴を説明するために特定の用語を使用している。例えば、「電子機器」は、フラットパネルディスプレイを実装した消費者用電子製品として定義されている。この詳細な記述では、明瞭性および例証のみの目的で、電子機器を、タブレット型コンピュータに変形することが可能な携帯型コンピュータとして記載している。しかしここでは、本発明を、携帯情報端末、携帯電話、デジタルカメラ、ビデオカメラ、ナビゲーションシステム等の様々な電子機器にて使用することができるが、これらに限定されるものではないことを意図している。
【００１３】
この説明において、用語「回転」、「旋回」、および変化するその時制は、概して、回転軸周りでの角度移動として定義されている。通常、回転軸は固定されている。この詳細な記述のために、用語「垂直に」旋回する（または、この任意の時制）は、概して、実質的に水平な回転軸に沿った回転に関連する。用語「水平に」旋回する（または、この任意の時制）は、概して、実質的に垂直な回転軸に沿った回転に関連する。
【００１４】
図１を参照すると、閉位置にある電子機器１００の斜視図が示されている。以下に説明するインターロック機構の実施の形態で実現される電子機器１００は、ヒンジアセンブリ１３０とディスプレイ支持部材１４０によって、本体ケース１２０に旋回可能に結合したディスプレイハウジング１１０を備えている。
【００１５】
本発明の一実施の形態では、本体ケース１２０は２個のメインパネル部、すなわちフロントパネル部１２２とバックパネル部１２４を備えている（図３も参照のこと）。これらのパネル部１２２，１２４を合わせて、ハードウェアコンポーネントと、電子機器１００に記憶したソフトウェアとを収容する。これにより、これらを異物および環境状態から保護する。本発明のこの実施の形態のために、パネル部１２２，１２４を、非柔軟性の材料、例えば硬質プラスチック、で製造している。
【００１６】
ディスプレイハウジング１１０は、フラットパネルディスプレイ１１１、および、フラットパネルディスプレイ１１１上に表示可能な画像を生成する回路要素を収納している。フラットパネルディスプレイ１１１の例として、液晶ディスプレイ（ＬＣＤ）、プラズマディスプレイ等が挙げられるが、これらに限定または制限されるものではない。
【００１７】
本発明のこの実施の形態を表している図１をさらに参照すると、ディスプレイハウジング１１０は、結合された２個のパネル部を備えている。これらのパネル部は、フロントディスプレイパネル１１２（図３を参照）と、バックディスプレイパネル１１４を含んでいる。
【００１８】
図１および図２に示されているように、バックディスプレイパネル１１４は、ディスプレイ支持部材１４０を収納するような寸法にされている凹部領域１１５を含んでいるため、電子機器１００が図１に示す閉位置にある場合に、バックディスプレイパネル１１４の頂面１１６がディスプレイ支持部材１４０の頂面１４１と実質的に同一平面上にある。
【００１９】
バックディスプレイパネル１１４の凹部領域１１５は、１つまたは複数の凹部１１７１〜１１７Ｎ（この場合Ｎ≧１である）を含むことができる。ここでは、実施の形態に示すように、第１凹部１１７１は、図６に詳細に示すインターロック機構を保持するように設けられた空間への開口部となることができる。インターロック機構のうち１個の固定具を、第１凹部１１７１から突出するように構成してもよい。本発明の一実施の形態では、係合解除時に、第２固定具２２０が第１凹部１１７１から突出するが、この部分は、凹部領域１１５の高さを超えないように寸法決めされている。その結果、第２固定具２２０が、本体ケース１２０のフロントパネル部１２２の頂面と直接接触することがない。別の実施の形態では、第２固定具２２０が、ディスプレイ支持部材１４０から係合解除した場合に、第１凹部１１７１から突出できるように構成されている。
【００２０】
図示したように、インターロック機構の第２固定具２２０は、所定の距離を置いて離間した複数の突起（prong)を有する固定具として図示されている。しかし、以降で説明するように、突起（prong)を１個具備した第２固定具２２０を構成することも考えられる。
【００２１】
これに加えて、第２凹部１１７２は、図１２中に詳細に示されているように、第２ヒンジユニット１５５を保持するように設けることができる。第２ヒンジユニット１５５は摩擦ヒンジであるが、第２ヒンジユニット１５５は摩擦ヒンジの集合体、または、恐らくは１つまたは複数の、ブレーキ機構を備えていないヒンジであることも考えられる。さらに、１つまたは複数のバネ装填した保持フック１１３を凹部領域１１５内に図示のとおりに配置することも可能である。
【００２２】
本発明の一実施の形態のために、ヒンジアセンブリ１３０は、本体ケース１２０の底縁１２６と、ディスプレイ支持部材１４０の第１端部１４２とに結合するように構成されている。本発明の一実施の形態のように、ヒンジアセンブリ１３０は、ディスプレイハウジング１１０を本体ケース１２０上で選択した回転角度に保持するために、ねじり棒機構または摩擦ヒンジのようなブレーキ機構を適合させている。例えば、ヒンジアセンブリ１３０を、ディスプレイハウジング１１０を角度Ａに保持するように適合することができ、この場合、「Ａ」は、約３０°〜１５０°の角度の範囲にある（図３を参照）。
【００２３】
第１ヒンジユニット１５０は、ディスプレイ支持部材１４０の第２端部１４４に設けられている。本発明の一実施の形態にあるように、第１ヒンジユニット１５０は、ディスプレイハウジング１１０のバックディスプレイパネル１１４の縦の中心部１５１に配置されている。ディスプレイハウジング１１０の、第１ヒンジユニット１５０によって設定された縦中心部１５１とヒンジアセンブリ１３０の間の部分は、ディスプレイハウジング１１０の「底部」１１９と呼ばれる。しかしながら、第１ヒンジユニット１５０は縦の中心部１５１からずれていても構わないと考えられる。第１ヒンジユニット１５０により、ディスプレイハウジング１１０を、第１ヒンジユニット１５０によって設定された水平回転軸に沿って垂直に旋回させることが可能である。同様に、第２ヒンジユニット１５５により、ディスプレイハウジング１１０を視角に維持する上で、また、ディスプレイハウジング１１０を回転させる上でのより大きな安定性が提供される。
【００２４】
図３を参照すると、開位置に配置されている電子機器１００の斜視図が示されている。電子機器１００はさらに、本体ケース１２０と一体化されているキーボード１８０を備えている。さらに、例えばタッチパッドまたはトラックボールのような２次入力装置１８５が本体ケース１２０に一体化されている。
【００２５】
第１固定具１６０が、本体ケース１２０の頂縁１２８上に配置された補助固定具１６２と固定できるように、ディスプレイハウジング１１０の頂縁１１８に沿って配置されている。これらの固定具１６０、１６２は、係合しているとき、ディスプレイハウジング１１０の角回転を阻止し、係合が解除されるまで電子機器１１０が閉位置に維持される。
【００２６】
本体ケース１２０にはデュアルスピーカ１７０，１７２が一体化されており、これらのスピーカは、ディスプレイ支持部材１４０によって離間している。スピーカ１７０，１７２は、ディスプレイハウジング１１０が閉位置にあるときにも実質的に見ることができる。
【００２７】
本発明の一実施の形態のために、フロントパネル部１２２上に、１つまたは複数の細長通路１９０，１９２が形成されている。さらに図４に示すように、各細長通路１９０および/または１９２は凹部領域１９１，１９３を含んでいる。各々の凹部領域（例えば凹部領域１９１）は、ディスプレイハウジング１１０を逆転させ、本体ケース１２０と対抗するように配置したときには、ばねに負荷されている保持フック１１３を収容する。ディスプレイハウジング１１０の底部１１９がディスプレイ支持部材１４０から遠ざけられたとき、ばねに負荷されている保持フック１１３は反動する。あるいは、電子機器１００が図１および図３に示す閉位置または開位置にあるとき、ばねに負荷されている保持フック１１３が、ディスプレイ支持部材１４０によって、ディスプレイハウジング１１０内に押し入れられる。
【００２８】
ディスプレイハウジング１１０および本体ケース１２０の異なる領域に、異なる材料を適合可能であると考えられる。フロントパネル部１２２の、２次入力装置１８５を取り囲んでいる部分１２３に、硬質プラスチックではなくステンレス鋼または他の金属組成物を採用して、損傷に対する抵抗を向上させ長期間の使用に耐え得るようにすることも考えられる。
【００２９】
次に図５を参照すると、図１の電子機器１００の側面図が示されている。本発明のこの実施の形態のために、２個の固定具機能を具備したインターロック機構２００が構成されている。特に、インターロック機構２００は第１固定具２１０および第２固定具２２０を備えており、この２個の固定具がバー２３０によって結合されている。バー２３０は、金属または硬質プラスチックのような硬質材料で製造され、第１固定具２１０に旋回可能に結合した第１端部２３２と、第２固定具２２０と固定的に結合した第２端部２３４とを備えている。ここで示しているように、バー２３０は、第２固定具２２０の係合または係合解除を制御するためのレバーとして使用される。
【００３０】
図６により詳細に示すように、電子機器１００の断面図はインターロック機構２００の第１実施の形態を示している。ここでは、レバー２３０が、ディスプレイハウジング１１０のフロントディスプレイパネル１１２とバックディスプレイパネル１１４の間の空間２４０内に配置されている。レバー２３０により、第２固定具２２０を、ディスプレイ支持部材１４０内に形成されたスロット２５０に対して係合及び係合解除させることが可能になる。バックディスプレイパネル１１４の、凹部１１７１のような凹部領域内には開口部が設けられている。
【００３１】
空間２４０内に付勢機構２６０を配置して、レバー２３０を第１状態に維持することができる。例えば、付勢機構２６０は、レバー２３０に横方向（水平）への力を付加するべく配置したばねであってよい。このばねによって、以下に示すように追加の力が付加されるまで、第２固定具２２０が、ディスプレイ支持部材１４０のスロット２５０内に係合した状態に維持される。
【００３２】
第１固定具２１０を係合解除し、第１固定具２１０に対して、例えば第１固定具２１０を押すといった事象を実施すると、レバー２３０が横方向に移動され、第２状態となる。その結果、レバー２３０と固定的に結合している第２固定具２２０も横方向へ移動する。したがって、図７中に示されているように、第２固定具２２０は、ディスプレイハウジング１１０が反時計回りに回転すると、スロット２５０のフランジ２５２を動かして、スロット２５０との係合を解除する。
【００３３】
図７中に詳細に示されているように、フランジ２５２の特徴は湾曲形状であることであり、この湾曲形状は、第２固定具２２０がスロット２５０から係合解除されることを防止する補助となるだけでなく、第２固定具２２０のスロット２５０内への係合も補助する。しかしながら、第２固定具２２０は、様々な機構を介してディスプレイ支持部材１４０と係合することができ、これらの機構にはフランジ２５２を具備していないスロット２５０が含まれるが、これに限定されるものではない。
【００３４】
あるいは、ばねの代わりに、図８中に示されているように、レバー２３０および空間２４０上に配置した１組の保持バンプ（bump）２７０，２７１，２７２によって付勢機構２６０を達成することもできる。例えば、この実施の形態によれば、レバー２３０が第１状態に配置されているとき、保持バンプ２７０を保持バンプ２７１、２７２の間に位置することができる。これにより、インターロック機構の第２固定具２２０がスロット２５０から係合解除されることが防止される。しかし、レバー２３０が第２状態にある、つまり、保持バンプ２７０が、保持バンプ２７１，２７２の間の範囲から移動されている（例えば、バンプ２７０はバンプ２７１の左側に在る）ときは、第２固定具２２０をスロット２５０から係合解除することができる。
【００３５】
より詳細には、レバー２３０を内側に向かって横方向に移動すると、レバー２３０は空間２４０内で若干下方に強制移動され、これにより保持バンプ２７０が保持バンプ２７１を動かすことが可能になる。第２固定具は、レバー２３０に固定的に取り付けられている。その結果、第２固定具がスロット内で横方向に移動するため、ディスプレイハウジングを反時計回りに回転させると、第２固定具が係合解除される。当然ながら、さらに別の代替形として、レバー２３０を、２つ以上のバンプで実現し、その一方で、空間２４０を１つまたは複数の保持バンプで実現することが可能であるとも考えられる。
【００３６】
さらに、レバー２３０を、空間２４０内ではなく凹部領域内で、単にバックディスプレイパネルの表面に沿って配置することもできると考えられる。これにより、レバー２３０に必要な空間量を最小化するべく、レバー２３０を概して平坦に構成できることが保証される。
【００３７】
再び図５を参照すると、電子機器１００を閉位置に配置すると、図１の固定具１６０に等しい第１固定具２１０が本体ケース１２０の補助固定具１６２と係合する。これにより、ディスプレイハウジング１１０とディスプレイ支持部材１４０の角回転が防止される。さらに、第２固定具２２０がディスプレイ支持部材１４０のスロット２５０と係合する。
【００３８】
次に図９を参照すると、部分的に開位置にある電子機器１００の側面図が示されている。ここでは、第１固定具２１０は相補的な固定具１６２から完全に解除されているため、ディスプレイハウジング１１０が、ヒンジアセンブリ１３０によって、矢印３００で示すように垂直に旋回することが可能になる。第２固定具２２０はスロット２５０と係合した状態に保たれるため、ディスプレイハウジング１１０とディスプレイ支持部材１４０の両方が、同時に垂直に旋回することができる。
【００３９】
図１０を参照すると、第１ヒンジユニット１５０と第２ヒンジユニット１５５で形成されている回転軸の周りで回転しているディスプレイハウジング１１０の側面図が示されている。本発明のこの実施の形態のために、第２固定具２２０はスロット２５０から係合解除されている。これは、インターロック機構２００に、矢印２９０で示す事象を実施することで達成される。
【００４０】
例えば、本発明の一実施の形態によれば、第１固定具２１０に実施した事象に反応して、レバー２３０が、第１状態から第２状態へと横方向に移動する。これらの事象の例には、（ｉ）第1固定具２１０を押圧する、または引く、（ｉｉ）第1固定具を円形動作において捻る、（ｉｉｉ）第1固定具２１０を旋回させる、等が含まれる。この事象は、付勢機構２６０を調整し、また、矢印２９５で示すように、ディスプレイハウジング１１０の回転により第２固定具２２０がスロット２５０から係合解除されることを許容する。
【００４１】
既述のように、付勢機構２６０をばねとして実施したとき、レバー２３０の横方向移動によってばね２６０が圧縮される。これにより、第２固定具２２０がスロット２５０から解除される。しかし、付勢機構２６０を保持バンプとして実施したときは、レバー２３０が横方向移動することで、別の保持バンプがレバー２３０を横方向位置に保持するが、やはり、これにより第２固定具２２０がスロット２５０から係合解除される。
【００４２】
第２固定具２２０がスロット２５０から係合解除されると、ディスプレイハウジング１１０が、第１ヒンジユニット１５０と第２ヒンジユニット１５５が形成する回転軸の周りで自由に回転できるようになる。一実施の形態にあるように、ヒンジユニット１５０，１５５によって得られる最大回転角度は約１８０°である。第１ヒンジユニット１５０は、ブレーキ機構を伴なって実施出来る。これにより、ディスプレイハウジング１１０を特定の回転角度に維持することが可能となる。
【００４３】
さらに図１０に示すように、ディスプレイハウジング１１０は、矢印２９５で示すように反時計周り方向に回転され、上下が逆になる。その結果、図１１中に示されているように、ディスプレイハウジング１１０のバックディスプレイパネル１１４が、本体ケース１２０の頂部パネル部１２２、およびディスプレイ支持部材１４０と相互に接触した状態になる。使用者は、フロントディスプレイパネル１１２を見ることができる。さらに、ディスプレイハウジング１１０の回転中に、ディスプレイ支持部材１４０が２個の部材から成るアセンブリを形成し、これによりフラットパネルディスプレイの支持を強化する。
【００４４】
次に図１２を参照すると、ディスプレイ支持部材１４０の実施の形態の斜視図が示されている。ディスプレイ支持部材１４０は、第１部材３００および第２部材３２０を備えている。一般に、第１部材３００が、ヒンジアセンブリ１３０と第１ヒンジユニット１５０の両方と旋回可能に結合されている。第２部材３２０が、ヒンジアセンブリ１３０及びヒンジユニット１５５に旋回可能に結合されている。両方のヒンジユニット１５０，１５５が、バックディスプレイパネル１１４の凹部領域１１５内に配置されている。
【００４５】
第１部材３００は凹部領域３０５を含んでおり、この凹部領域３０５は、ディスプレイハウジング１１０が、ヒンジユニット１５０，１５５により形成されている回転軸周りで回転しているときを除く全ての位置にある間に第２部材３２０を収容するように寸法付けされている。より詳細には、本発明の一実施の形態と同様に、凹部領域３０５は、例えば凹部３０６，３０７のような複数の凹部を含んでいる。第１凹部３０６は、電子機器１００を閉鎖位置に配置したとき、第２部材３２０の突起部３２５を受容するように構成されている。この位置で、第２部材３２０は第１部材３００と実質的に同一平面にある。
【００４６】
さらに図１２に示すように、第２凹部３０７は第２固定具２２０用のスロット２５０として機能するが、第２固定具２２０は、第２部材３２０の幅を若干超える幅で離間した２個の突起（prong)を有する固定具として図示されている。第２固定具２２０が単一の突起（prong)固定具である場合には、スロット２５０として必要なのは第２凹部３０７の一部分だけである。しかし、ディスプレイハウジング１１０を完全に逆転させた場合には、第２凹部３０７が第２部材３２０の突起部３２５を受けいれる。
【００４７】
再び図９および図１０を参照すると、ディスプレイハウジング１１０の、第１ヒンジユニット１５０によって設定されている回転軸に沿った最初の反時計回り回転により、凹部領域３０５および第１部材３００と実質的に同じ平面を有する第２部材３２０が、移動して第１部材３００から遠ざかる。反時計回り方向への回転が継続すると、第２部材３２０が第１部材３００からさらに遠ざかるため、第１部材３００と第２部材３２０が実質的に平行になり、所定の距離で離間する。一実施の形態では、この所定の距離は１インチの１/４であるが、これ以外の任意の所定距離を採用することが可能である。
【００４８】
第１ヒンジユニット１５０により設定されている回転軸に沿うディスプレイハウジング１１０のさらなる回転、つまり、開放位置の非回転時状態から９０°を超えた回転、は、第１部材３００と第２部材３２０の離間距離が縮小を生じさせる。ディスプレイハウジング１１０が完全に逆転されると、第２部材３２０が再び第１部材３００の凹部領域３０５内に位置し、第１部材３００と概して同一平面となる。
【００４９】
再び図１１を参照すると、ディスプレイハウジング１１０が完全に逆転されている電子機器１００の側面図が示されている。ここでは、ディスプレイ支持部材１４０がディスプレイハウジング１１０と本体ケース１２０の間に介在されている。インターロック機構２００の第２固定具２２０は、凹部領域１１５の高さよりも上に突出しないように構成されている。これにより、電子機器１００が逆転位置に配置されているとき、第２固定具による本体ケース１２０への引っ掻きおよび他の物理的損傷を防止することができる。
【００５０】
本発明の特定の例示的な実施の形態について説明し、添付の図面において図示してきたが、このような実施の形態は単なる例証であり、また、様々な改造が可能であるために、本発明の様々な実施の形態の幅広い態様を規制するものではなく、これらの実施の形態は図示および記述した特定の構造および配置に限定されるものではないことが理解されるべきである。
【図面の簡単な説明】
【００５１】
【図１】閉位置に配置されている、本発明の実施の形態により実現された電子機器の斜視図である。
【図２】ディスプレイ支持部材無しの、図１の電子機器の斜視図である。
【図３】開位置に配置されている、図１の電子機器の斜視図である。
【図４】保持フックが本体ケースの頂面の凹部領域と係合した状態にある、電子機器の断面図である。
【図５】図１の電子機器の側面図である。
【図６】第２固定具がディスプレイ支持部と係合した状態にある２個の固定具を具備したインターロック機構の第１実施の形態を示す、電子機器の断面図である。
【図７】第２固定具を保持するために、ディスプレイ支持部材内に設けられているスロットの断面図である。
【図８】２個の固定具を具備したインターロック機構によって使用されている付勢機構の第２実施の形態を示す、電子機器の側面図である。
【図９】部分的な開位置に配置されている電子機器の側面図である。
【図１０】ヒンジユニットによって提供されている回転軸周りで回転されているディスプレイハウジングの側面図である。
【図１１】ディスプレイハウジングが完全に逆転されている電子機器の側面図である。
【図１２】ディスプレイ支持部材の一実施の形態の斜視図である。
【符号の説明】
【００５２】
１００…電子機器、１１０…ディスプレイハウジング、１１１…フラットパネルディスプレイ、１１２…フロントディスプレイパネル、１１３…保持フック１１３、１１４…バックディスプレイパネル、１１５，１９１…凹部領域、１１６，１４１…頂面、１１７１〜１１７Ｎ…凹部領域、１２０…本体ケース、１２２…フロントパネル部、１２４…バックパネル部、１２８…頂縁、１３０…ヒンジアセンブリ、１４０…ディスプレイ支持部材、１４２，２３２…第１端部、１４４，２３４…第２端部、１５０…第１ヒンジユニット、１５１…縦中心部、１５５…第２ヒンジユニット、１６０…第１固定具、１６２…補助固定具、１７０，１７２…デュアルスピーカ、１８０…キーボード、１８５…２次入力装置、１９０，１９２…細長通路、２００…インターロック機構、２１０…第１固定具、２２０…第２固定具、２３０…バー、２４０…空間、２５０…スロット、２５２…フランジ、２６０…付勢機構、２７０，２７１，２７２…１組の保持部材、３０５，３０６，３０７…凹部、３００…第１部材、３２０…第２部材、３２５…突起部
【図１】
2005085260.tif 000003
【図２】
2005085260.tif 000004
【図３】
2005085260.tif 000005
【図４】
2005085260.tif 000006
【図５】
2005085260.tif 000007
【図６】
2005085260.tif 000008
【図７】
2005085260.tif 000009
【図８】
2005085260.tif 000010
【図９】
2005085260.tif 000011
【図１０】
2005085260.tif 000012
【図１１】
2005085260.tif 000013
【図１２】
2005085260.tif 000014